(57)【要約】【課題】ネットワーク接続切断後も、処理を続行することが出来るリモート操作システム、クライアント装置、サーバ、通信方法、プログラム及び記録媒体を提供する。【解決手段】クライアント装置と、ネットワークを介して接続される前記クライアント装置から送信される操作信号に基づいて実行するアプリケーションの表示用データを生成し、更新毎にクライアント装置に伝送する通信手段を備えるサーバと、から成るリモート操作システムであって、クライアント装置は、ネットワークの接続状態を監視する接続監視手段と、接続監視手段により接続断の虞があると判断された場合は接続断の虞ありの旨をサーバに通知する通知手段と、を備え、サーバは、アプリケーションにより実行中のファイルデータを伝送する伝送手段を備え、伝送手段は前記接続断の虞ありの旨の通知を受信した場合に、表示用データの伝送より優先してファイルデータを伝送することを特徴とする。【選択図】図３
2011076251.tif 000002
【特許請求の範囲】
【請求項１】
クライアント装置と、ネットワークを介して接続される前記クライアント装置から送信される操作信号に基づいて実行するアプリケーションの表示用データを生成し、更新毎に前記クライアント装置に伝送する通信手段を備えるサーバと、から成るリモート操作システムであって、
前記クライアント装置は、
前記ネットワークの接続状態を監視する接続監視手段と、
前記接続監視手段により、接続断の虞があると判断された場合は、接続断の虞ありの旨を前記サーバに通知する通知手段と、を備え、
前記サーバは、
前記アプリケーションにより実行中のファイルデータを伝送する伝送手段を備え、
前記伝送手段は、前記接続断の虞ありの旨の通知を受信した場合に、前記表示用データの伝送より優先して前記ファイルデータを伝送することを特徴とするリモート操作システム。
【請求項２】
前記クライアント装置は、
前記ネットワークが切断された場合に、前記伝送されたファイルデータを実行することを特徴とする請求項１記載のリモート操作システム。
【請求項３】
前記クライアント装置は、
前記サーバから指示されたアプリケーションで前記ファイルデータを実行する請求項２記載のリモート操作システム。
【請求項４】
前記サーバが備える前記伝送手段は、前記通知を受信する前から、前記表示用データの伝送と共に前記ファイルデータを伝送し、前記通知を受信した場合に前記表示用データの伝送より優先して前記ファイルデータを伝送することを特徴とする請求項１から３のいずれか１項記載のリモート操作システム。
【請求項５】
前記サーバは、前記クライアント装置が備えるリソース情報を取得し、前記実行するアプリケーションと同一若しくは互換性のある近似アプリケーションを判断し、前記クライアント装置に、ネットワーク接続断後に前記近似アプリケーションで前記ファイルデータを実行するよう指示することを特徴とする請求項２から４のいずれか１項記載のリモート操作システム。
【請求項６】
クライアント装置と、ネットワークを介して接続される前記クライアント装置から送信される操作信号に基づいて実行するアプリケーションの表示用データを生成し、更新毎に前記クライアント装置に伝送する通信手段を備えるサーバと、から成るリモート操作システムのクライアント装置であって、
前記ネットワークの接続状態を監視する接続監視手段と、
前記接続監視手段により、接続断の虞があると判断された場合は、接続断の虞ありの旨を前記サーバに通知する通知手段と、
を備えることを特徴とするクライアント装置。
【請求項７】
クライアント装置と、ネットワークを介して接続される前記クライアント装置から送信される操作信号に基づいて実行するアプリケーションの表示用データを生成し、更新毎に前記クライアント装置に伝送する通信手段を備えるサーバと、から成るリモート操作システムのサーバであって、
前記アプリケーションにより実行中のファイルデータを伝送する伝送手段を備え、
前記伝送手段は、前記接続断の虞ありの旨の通知を受信した場合に、前記表示用データの伝送より優先して前記ファイルデータを伝送することを特徴とするサーバ。
【請求項８】
クライアント装置と、ネットワークを介して接続される前記クライアント装置から送信される操作信号に基づいて実行するアプリケーションの表示用データを生成し、更新毎に前記クライアントに伝送する手段を備えるサーバと、から成るリモート操作システムの通信方法であって、
前記クライアント装置は、
前記ネットワークの接続状態を監視するステップと、
前記接続状態を監視するステップにより、接続断の虞があると判断された場合は、接続断の虞ありの旨を前記サーバに通知するステップと、を備え、
前記サーバは、
前記アプリケーションにより実行中のファイルデータを伝送するステップを備え、
前記伝送するステップは、前記接続断の虞ありの旨の通知を受信した場合に、前記表示用データの伝送より優先して前記ファイルデータを伝送することを特徴とする通信方法。
【請求項９】
クライアント装置と、ネットワークを介して接続される前記クライアント装置から送信される操作信号に基づいて実行するアプリケーションの表示用データを生成し、更新毎に前記クライアントに伝送する手段を備えるサーバと、から成るリモート操作システムの通信プログラムであって、
前記クライアント装置は、
前記ネットワークの接続状態を監視する処理と、
前記接続状態を監視するステップにより、接続断の虞があると判断された場合は、接続断の虞ありの旨を前記サーバに通知する処理と、をコンピュータに実行させ、
前記サーバは、
前記アプリケーションにより実行中のファイルデータを伝送する処理をコンピュータに実行させ、
前記伝送する処理は、前記接続断の虞ありの旨の通知を受信した場合に、前記表示用データの伝送より優先して前記ファイルデータを伝送することを特徴とする通信プログラム。
【請求項１０】
請求項９記載の通信プログラムの処理を記録するコンピュータ読取り可能な記録媒体。
【発明の詳細な説明】
【技術分野】
【０００１】
本発明は、リモート操作システム、クライアント装置、サーバ、通信方法、プログラム及び記録媒体に関し、特にネットワーク接続切断後も、処理を続行することが出来るリモート操作システム、クライアント装置、サーバ、通信方法、プログラム及び記録媒体に関する。
【背景技術】
【０００２】
近年、サーバ−クライアント・システムにおいて、クライアント装置からのリモート操作によりサーバ側で所望のアプリケーションプログラムを起動実行させ、クライアント装置からの操作入力に応じてサーバ側で処理された表示用の描画データを、描画更新の都度サーバからクライアント装置に送信し、クライアント装置側で描画データを表示するシンクライアントシステムが知られている（特許文献１、２参照）。これにより、クライアント装置は、表示や操作入力のための最低限の機能のみを持てば良く、アプリケーションなどの資源はサーバ側で一元管理していた。
【０００３】
その他、サーバ−クライアント装置間でリモート操作を行うシステムとしては、リモートスクリーンシステム、リモートデスクトップソリューション、サーバベースコンピューティング等と称される技術も知られている（特許文献３、４参照）。このように、サーバ（操作される側）からクライアント（操作する側）にデータ転送する遠隔操作（リモート操作）システムが提案されている。いずれにしても、アプリケーション等サーバ側が有している資源を用いてサーバ側で処理を行うため、クライアント装置側は表示や入力の最低限の機能を備えるだけで済む点が特徴である。また、クライアント装置側にデータ保存を行わないため、クライアント装置の盗難等に起因する機密情報漏洩も防止することが出来る。
【０００４】
一方、いわゆるネットブックと称される小型軽量のモバイルＰＣ（パーソナルコンピュータ）も普及している。ネットブックは、シンクライアントシステム専用端末（シンクライアント端末）より実装している機能は多いが、通常のノートパソコンよりは低価格ＣＰＵで、１ＧＢ程度の最低限のメモリや小型の液晶表示部を備えた小型のＰＣである。主に、インターネット上で提供されているサービス（サイト閲覧、メール等）を利用することを目的としている。
【先行技術文献】
【特許文献】
【０００５】
【特許文献１】特開２００９−９３３７４号公報
【特許文献２】特開２００９−１８１４６０号公報
【特許文献３】特開２００７−２１９７９０号公報
【特許文献４】特開２００７−２６５２０９号公報
【発明の概要】
【発明が解決しようとする課題】
【０００６】
しかしながら、上記のような技術には、以下の問題点がある。
【０００７】
サーバ−クライアント間のリモート操作システムにおいては、通常、サーバ側で処理したデータを、表示用の描画データとして、ネットワークを介してクライアント装置に送信しているため、ネットワークが切断された場合は当然に、クライアント装置側で入力操作をしてもクライアント装置の表示部に反映されることはなく、突然作業が終了してしまう点が問題であった。例えば移動中の車内で操作しているときに、ネットワークが切断し、突然操作が不可能になってしまうことが多々あった。ユーザは、常にネットワーク接続状況をチェックしなければならなかった。
【０００８】
ネットブック等の小型軽量のモバイルＰＣは通常のノートＰＣより低機能であるが、リモート操作システムを応用して高機能、高性能なＰＣをサーバにしたシンクライアント端末のように利用することで、容易に利用の幅が広がる。シンクライアントシステムを利用した場合は、データをネットブックには保管しないため、ネットブックが盗難された場合でも情報流出の虞がない。しかしながら、上述したようにネットワークの接続状況を常にチェックしなければならない負担と、接続が切断した場合は突然操作が不可能になってしまうという問題が生じる。
【０００９】
本発明はこのような状況に鑑みてなされたものであり、ネットワーク接続切断後も、処理を続行することを目的とする。
【課題を解決するための手段】
【００１０】
本発明に係るリモート操作システムは、クライアント装置と、ネットワークを介して接続される前記クライアント装置から送信される操作信号に基づいて実行するアプリケーションの表示用データを生成し、更新毎に前記クライアント装置に伝送する通信手段を備えるサーバと、から成るリモート操作システムであって、前記クライアント装置は、前記ネットワークの接続状態を監視する接続監視手段と、前記接続監視手段により、接続断の虞があると判断された場合は、接続断の虞ありの旨を前記サーバに通知する通知手段と、を備え、前記サーバは、前記アプリケーションにより実行中のファイルデータを伝送する伝送手段を備え、前記伝送手段は、前記接続断の虞ありの旨の通知を受信した場合に、前記表示用データの伝送より優先して前記ファイルデータを伝送することを特徴とする。
【００１１】
本発明に係るクライアント装置は、クライアント装置と、ネットワークを介して接続される前記クライアント装置から送信される操作信号に基づいて実行するアプリケーションの表示用データを生成し、更新毎に前記クライアント装置に伝送する通信手段を備えるサーバと、から成るリモート操作システムのクライアント装置であって、前記ネットワークの接続状態を監視する接続監視手段と、前記接続監視手段により、接続断の虞があると判断された場合は、接続断の虞ありの旨を前記サーバに通知する通知手段と、を備えることを特徴とする。
【００１２】
本発明に係るサーバは、クライアント装置と、ネットワークを介して接続される前記クライアント装置から送信される操作信号に基づいて実行するアプリケーションの表示用データを生成し、更新毎に前記クライアント装置に伝送する通信手段を備えるサーバと、から成るリモート操作システムのサーバであって、前記アプリケーションにより実行中のファイルデータを伝送する伝送手段を備え、前記伝送手段は、前記接続断の虞ありの旨の通知を受信した場合に、前記表示用データの伝送より優先して前記ファイルデータを伝送することを特徴とする。
【００１３】
本発明に係る通信方法は、クライアント装置と、ネットワークを介して接続される前記クライアント装置から送信される操作信号に基づいて実行するアプリケーションの表示用データを生成し、更新毎に前記クライアントに伝送する手段を備えるサーバと、から成るリモート操作システムの通信方法であって、前記クライアント装置は、前記ネットワークの接続状態を監視するステップと、前記接続状態を監視するステップにより、接続断の虞があると判断された場合は、接続断の虞ありの旨を前記サーバに通知するステップと、を備え、前記サーバは、前記アプリケーションにより実行中のファイルデータを伝送するステップを備え、前記伝送するステップは、前記接続断の虞ありの旨の通知を受信した場合に、前記表示用データの伝送より優先して前記ファイルデータを伝送することを特徴とする。
【００１４】
本発明に係る通信プログラムは、クライアント装置と、ネットワークを介して接続される前記クライアント装置から送信される操作信号に基づいて実行するアプリケーションの表示用データを生成し、更新毎に前記クライアントに伝送する手段を備えるサーバと、から成るリモート操作システムの通信プログラムであって、前記クライアント装置は、前記ネットワークの接続状態を監視する処理と、前記接続状態を監視するステップにより、接続断の虞があると判断された場合は、接続断の虞ありの旨を前記サーバに通知する処理と、をコンピュータに実行させ、前記サーバは、前記アプリケーションにより実行中のファイルデータを伝送する処理をコンピュータに実行させ、前記伝送する処理は、前記接続断の虞ありの旨の通知を受信した場合に、前記表示用データの伝送より優先して前記ファイルデータを伝送することを特徴とする。
【００１５】
本発明に係る記録媒体は、上記本発明に係る通信プログラムの処理を記録するコンピュータ読取り可能な記録媒体である。
【発明の効果】
【００１６】
本発明によれば、ネットワーク接続切断後も、処理を続行することが出来る。
【図面の簡単な説明】
【００１７】
【図１】本発明の実施形態に係るサーバ１と、クライアント装置２の機能を模式的に示す構成図である。
【図２】本発明の実施形態に係るサーバ１やクライアント装置２が実現され得る情報処理装置の基本的なハードウェア構成を示す図である。
【図３】本発明の実施形態に係るリモート操作システムの動作処理を示すタイムチャートである。
【発明を実施するための形態】
【００１８】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１９】
（構成）
図１は、本発明の実施形態に係るサーバ１と、クライアント装置２の機能を模式的に示す構成図である。サーバ１とクライアント装置２は、ネットワーク３を介して接続し、リモート操作システムを構成する。
【００２０】
クライアント装置２からの操作入力情報（図２、入力装置２２参照）は、コマンド生成部２１により生成されたコマンドとして、ネットワーク３を介してサーバ１に伝送される（通信部２２、通信部１３）。
【００２１】
サーバ１は、クライアント装置２からのコマンド（操作信号）に従い、サーバ１が有するＡＰ（アプリケーション）等で処理を実行する。実行したＡＰ（処理結果）の表示用データ（例えば画像データ）を生成し、クライアント装置２に伝送する。表示用データが画像データの場合は、圧縮部１１により圧縮して伝送しても良い。クライアント装置２は、伝送された画像データを、出力装置３４（図２参照、例えば液晶表示部）に表示する。表示用データの伝送は、更新される毎に行われる。画像伝送に関しては、本発明では特に限定しないが、一般的には前フレームとの差分のみ伝送する方式が知られている。
【００２２】
これにより、クライアント装置２の入力装置３３から行った操作入力に従って、クライアント装置２の表示部（出力装置３４）が更新されるため、実際の処理はサーバ１で行われているが、ユーザはクライアント装置２上で全ての作業を行っているように見えるリモート操作システムが構築される。
【００２３】
クライアント装置２が備える接続監視部２３は、サーバ１と接続するネットワーク３の接続状態を監視する。具体的には、例えばネットワークの通信強度や通信速度（帯域）を監視する。監視とは、特にサーバ１と接続するネットワーク３に接続断の虞があるか否かを判定する。例えば、予め定めた閾値に基づき、通信強度、及び／若しくは通信速度が該閾値を下回った場合に、接続断の虞がある、と判定する。または、単位時間当りの通信強度・速度の低減の度合いにより、接続断と判定することも考え得る。
【００２４】
クライアント装置２が備える通知部２３は、接続監視部２３が接続断と判定した場合に、その旨をサーバ１に通知する。
【００２５】
一方、サーバ１は、クライアント装置２からのコマンドに従って行っている作業中のファイルデータを、画像データの伝送とは別に、クライアント装置２に伝送するファイルデータ伝送部１２を有する。
【００２６】
図２は、本発明の実施形態に係るサーバ１やクライアント装置２が実現され得る情報処理装置の基本的なハードウェア構成を示す図である。なお、サーバ１とクライアント装置２の機能は当然にサーバ１の方が充実している（高機能である）が、ここでは最低限必要とする基本的な構成についてのみ説明している。
【００２７】
ＣＰＵ（Central Processing Unit）３１、記憶装置３２、入力装置３３、出力装置３４、通信インタフェース３５がバス３６に接続され、構成されている。
【００２８】
ＣＰＵ１０は、記憶装置３２（ＲＯＭ（Read Only Memory）や、ＲＡＭ（Random Access Memory））と連帯して、情報処理装置全体を制御する。記憶装置３２には、情報処理装置の制御プログラム、各種アプリケーションプログラム等が予め記憶されている。ＣＰＵ３１は、記憶装置３２に記憶された制御プログラムに基づいて各機能ブロックの制御を行う。また、記憶装置３２に記憶されている各種アプリケーションプログラムの起動／停止及び制御等を行う。
【００２９】
ユーザは、入力装置３３を用いて操作入力を行う。キーボードやマウス等の外部入力装置でも良い。出力装置３４は、例えば液晶表示部である。
【００３０】
通信インタフェース３５は、ネットワーク３と接続し、データの送受信等、通信することが出来る。
【００３１】
（動作処理）
図３は、本実施形態に係るリモート操作システムの動作処理を示すタイムチャートである。
【００３２】
サーバ１と、クライアント装置２は、ネットワーク３を介して接続状態にある間、上述したリモート操作処理が行われる（Step1）。リモート操作処理を行っている時、クライアント装置２が備える接続監視部２３により、接続断の虞があると判断され、通知部からその旨が通知される（Step2）。
【００３３】
サーバ１は、クライアント装置２からのコマンドに基づき処理を行っている作業中のデータ（ファイルデータ）を、クライアント装置２に伝送する（Step3）。
【００３４】
その後、接続監視部２３で判断された通り、接続が切断されると（Step4）、サーバ１−クライアント装置２間で、リモート操作処理は継続出来なくなる。しかし本実施形態では、ネットワーク切断前にサーバ１から作業中のファイルデータを伝送されているため、クライアント装置２が有するＡＰで起動し、作業を続行することが出来る。
【００３５】
以上説明したように、本実施形態に係るリモート操作システムにおいては、通信を切断した後でも、データの閲覧や編集を続行することが可能になる。
【００３６】
ここで、サーバ１からクライアント装置２へのファイルデータ伝送（Step3）のタイミングについて説明する。図３を用いて説明した上記実施形態では、クライアント装置２から、接続断の虞の旨の通知（Step2）を受けてから、ファイルデータを伝送している（Step3）。この場合、接続断の虞の旨の通知を受けてから実際に切断するまでの時間が非常に短い場合も考慮し、画像データ伝送を中断して、ファイルデータ伝送を行うことも可能である。この他、リモート操作開始直後から、定期的にファイルデータを伝送することも考え得る。
【００３７】
例えば、通信速度が１Mbps(Mega Bit per Second)の場合に、画像伝送に８００Kbps、ファイルデータ伝送に２００Kbpsを割り当て、ファイルデータ伝送をバックグラウンドで伝送することが考え得る。かかる割り当てについては、任意に予め定めることも可能であるし、通信状況に応じて動的に変更しても良い。例えば、通常は８：２の割合で画像伝送とファイルデータ伝送を行っている際に、クライアント装置２から接続断の虞の旨の通知を受けた場合、１：９の割合でファイルデータ伝送を優先して伝送する。これにより、接続断の虞の旨の通知を受けた際に迅速にファイルデータ伝送を行うことが出来る。
【００３８】
次に、伝送されたファイルデータをクライアント装置２が有するＡＰで起動し（Step5）、データの閲覧や編集を続行する処理について詳述する。
【００３９】
まず、サーバ１から伝送されたファイルデータはクライアント装置２の特定のフォルダ（記憶装置３２）に格納される。上述したように、定期的にファイルデータが伝送される場合は、前回のファイルデータは更新の度に削除する。ファイルデータが差分のみ伝送される方式の場合は、前回のファイルデータとの差分だけ上書きしていく。
【００４０】
サーバ１とのネットワーク接続が切断された場合は、リモート操作は終了する。リモート操作がネットワーク切断のため終了した旨と、作業中のファイルデータが格納されている特定のフォルダを表示部に示し、ユーザが当該ファイルデータを開くことで、作業が継続される。特定のフォルダはユーザが予め定めている場合等、特定のフォルダの場所を示さなくとも良い場合も当然にある。
【００４１】
若しくは、ネットワークが切断された場合に、クライアント装置２においてＡＰを自動的に選択し、サーバ１から伝送されたファイルデータを実行することで、ユーザの操作を必要とせずに、作業を続行出来るようにしても良い。選択するＡＰは、サーバ１からファイルデータが伝送される際に、指示されたＡＰでも良い。サーバ１とクライアント装置２が接続中に、サーバ１側でクライアント装置２側の資源（リソース情報）を把握することで、ＡＰの指示を行うことが可能となる。
【００４２】
クライアント装置２において選択するＡＰは、サーバ１側で利用されていたＡＰと互換性のある、すなわちサーバ１で作業中のファイルデータを実行・操作・処理可能なＡＰであれば良い。
【００４３】
また、クライアント装置２は、リモート操作システムに用いられる端末であり、実装する機能は極力少ないことが求められる。従って、サーバ１とリモート操作システムが開始された後、クライアント装置２からのコマンドに基づいてサーバ１が処理している際に利用されている対象ＡＰと互換性のあるＡＰを、クライアント装置１が備えているか確認し、備えていなかった場合は、クライアント装置側において予めＤＬ（ダウンロード）しておき、接続断後の処理に備えても良い。これにより、クライアント装置２は必要最低限なＡＰだけ備えつつも、接続断後の継続利用が可能となる。
【００４４】
クライアント装置２は、いわゆるネットブックと称される、低価格ＣＰＵ、１ＧＢ程度の最低限のメモリや小型の液晶表示部を備える小型軽量なノートパソコンとしても良い。リモート操作システムの専用端末でない情報処理装置においても、上述した実施形態に係るリモート操作システムを応用することが可能である。
【００４５】
なお、上記実施形態では、クライアント装置２が接続監視部を備え、接続状態を監視しているが、サーバ１側で行っても良い。その場合、サーバ１側が備える接続監視部（図示せず）は、上述したクライアント装置１が備える接続監視部２３及び通知部２４の機能を包含する。
【００４６】
さらに、クライアント装置２に伝送され、接続断後に利用するファイルデータは、できるだけ最新の状態であることが求められる。例えば、上述したように、ファイルデータがサーバ１から定期的に伝送されている場合に、クライアント装置２からの操作入力が反映されたファイルデータの伝送前に接続断になってしまった場合、クライアント装置２の特定フォルダに格納されているファイルデータは、直近の操作入力が反映されていないものとなってしまう。
【００４７】
そこで、クライアント装置２側でも、操作入力情報を記憶しておくことが考え得る。例えば、対象ＡＰが、ワープロ機能を有するオフィスソフト等のテキストエディタの場合に、クライアント装置側でキー入力情報（キーコード）をバッファすることが考え得る。バッファした時点でその前の入力データは削除し、更新しておくことで、記憶容量も少なくて済む。差分のみ更新しても良い。
【００４８】
ネットワーク接続が切断した時点で、クライアント装置２が有しているファイルデータと、上記バッファしたキーコードとを参照し、異なる場合は、キーコードの情報に基づいてファイルデータを更新することで、より最新の状態で処理を続行出来る。
【００４９】
図３のStep5で、クライアント装置２側で処理を続行している時、若しくは処理が終了した後、サーバ１と再接続された場合は、クライアント装置２側の、処理中若しくは処理終了後のファイルデータをサーバ１に伝送し、サーバ１で同期（単に上書きしても良いし、新たなファイルとしても良い）し、再度リモート操作を行うことが可能である（図３のStep1）。
【００５０】
なお、図３のフローチャート、上記実施形態に示す処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００５１】
以上、本発明を好適な実施形態に基づき具体的に説明したが、本発明は上記のものに限定されるものではなく、その要旨を逸脱しない範囲で種々変更可能であることは言うまでもない。
【符号の説明】
【００５２】
１    サーバ
２    クライアント装置
３    ネットワーク
１１    画像データ圧縮部
１２    ファイルデータ伝送部
１３、２２    通信部
２１    コマンド生成部
２３    接続監視部
２４    通知部
３１    ＣＰＵ
３２    記憶装置
３３    入力装置
３４    出力装置
３５    通信インタフェース
３６    バス
【図１】
2011076251.tif 000003
【図２】
2011076251.tif 000004
【図３】
2011076251.tif 000005